(57)【要約】      （修正有）【課題】電気機器のケーシング等の壁に取り付けるケーブル保持具において、作業性を向上させ、保護等級ＩＰ５４を確保し、表面、裏面のいずれの側からも壁に取り付けることができるようにする。【解決手段】ケーブルを傷めないように弾性的に保持する弾性パッキン１４を着脱可能に収容するために各ブロック１３に形成される中空部１３ｄに各弾性パッキンが横移動できないようにするための複数の凸部１３ｐを形成した構成、複数のブロック（１３Ａ，１３Ｂ，１３Ｃ）の一つに頭付きビス１５が螺合するナット１６を締付け部１３ｇに回転不能にインサートしておく構成及び完成したケーブル保持具１１をケーシング等の壁に取り付ける際に、表面１３ｍ、裏面１３ｎのいずれの側からも取り付けることができるようにした構成を備える。【選択図】  図８
2007053886.tif 000002
【特許請求の範囲】
【請求項１】
ケーブルを通す方向に対して直交する方向に分離することが可能な複数のブロックを有し、該ブロックは隣接するブロックと合わせた状態で取り付けられるように構成され、該隣接するブロックとの合せ面に前記ケーブルを通すための切欠き部と、該切欠き部と対応する位置に前記ケーブルを保持するための略半円形状の凹部を有する弾性パッキンを着脱可能に収容する中空部とが形成され、前記凹部と隣り合う前記ブロックに装着された前記弾性パッキンの凹部とにより前記ケーブルの周囲を覆って前記ケーブルを保持するように構成され、ケーシング等の壁の開口部を覆うように取り付けられるケーブル保持具において、前記弾性パッキンを着脱可能に収容する前記中空部の底面に、該弾性パッキンが横移動できないような複数の凸部を設けたことを特徴とするケーブル保持具。
【請求項２】
ケーブルを通す方向に対して直交する方向に分離することが可能な複数のブロックを有し、該ブロックは隣接するブロックと合わせた状態で取り付けられるように構成され、該隣接するブロックとの合せ面に前記ケーブルを通すための切欠き部と、該切欠き部と対応する位置に前記ケーブルを保持するための略半円形状の凹部を有する弾性パッキンを着脱可能に収容する中空部とが形成され、前記凹部と隣り合う前記ブロックに装着された前記弾性パッキンの凹部とにより前記ケーブルの周囲を覆って前記ケーブルを保持するように構成され、ケーシング等の壁の開口部を覆うように取り付けられるケーブル保持具において、複数の前記ブロックを互いに頭付きビスを用いて締め付け固定するための一つのブロックの締付け部に前記頭付きビスと螺合するめねじが形成されたナットが回転不能にインサートされ、他の前記ブロックの締付け部には前記頭付きビスがゆるく貫通可能なばか穴が前記ナットと同芯状に形成され、前記他のブロックの締付け部から前記頭付きビスを差し込んで前記ナットに締め付けることで前記複数のブロックが互いに固定されるように構成したことを特徴とするケーブル保持具。
【請求項３】
ケーブルを通す方向に対して直交する方向に分離することが可能な複数のブロックを有し、該ブロックは隣接するブロックと合わせた状態で取り付けられるように構成され、該隣接するブロックとの合せ面に前記ケーブルを通すための切欠き部と、該切欠き部と対応する位置に前記ケーブルを保持するための略半円形状の凹部を有する弾性パッキンを着脱可能に収容する中空部とが形成され、前記凹部と隣り合う前記ブロックに装着された前記弾性パッキンの凹部とにより前記ケーブルの周囲を覆って前記ケーブルを保持するように構成され、ケーシング等の壁の開口部を覆うように取り付けられるケーブル保持具において、前記複数のブロックの前記ケーシング等の壁に密着する部分に四周状に形成され棒状の弾性パッキンが収容されるパッキン溝が、前記ブロックの表裏両面に設けられ、前記壁に対して表面、裏面のいずれの側からも取り付けられるように構成したことを特徴とするケーブル保持具。
【発明の詳細な説明】
【技術分野】
【０００１】本発明は、複数の被覆電線が束ねられたケーブルをまとめて保持しなから電気機器のケーシング等の壁に取り付けられるようにしたケーブル保持具に係り、特にケーブルを傷めないように弾性的に保持する弾性パッキンを着脱可能に収容するために各ブロックに形成される中空部に各弾性パッキンが横移動できないようにするための複数の凸部を形成することで、組立て時における作業性を著しく向上させると共に、複数のブロックの一つに頭付きビスが螺合するナットを締付け部に回転不能にインサートしておくことで、他のブロックの締付け部から頭付きビスを差し込んで締め付けるだけで極めて簡単に各ブロックが締め付け固定されるようにして組立て作業の能率を向上させると共に、各ブロックの密着度を高めてケーブル保持具の保護等級を、ＩＰ表示でＩＰ５４（ＩＰとはＩｎｔｅｒｎａｔｉｏｎａｌ  Ｐｒｏｔｅｃｔｉｏｎの略で、ＩＥＣ  ５２９、ＪＩＳＣ  ０９２０に基づいて規定された固形異物、水に対する電気機器、キャビネットの保護等級表示であり、「ＩＰ」は保護特性記号を、「５」は「防塵形」（粉塵が内部に侵入することを防止する。若干の粉塵の侵入があっても正常な運転を阻害しない。）を、「４」は「飛沫に対する保護」（いかなる方向からの水の飛沫によっても有害な影響を受けない。）まで確保し、しかも完成したケーブル保持具をケーシング等の壁に取り付ける際に、表面、裏面のいずれの側からも壁に取り付けることができるようにし、使用性を著しく向上させたケーブル保持具に関する。
【背景技術】
【０００２】まず図２３から図２７により、従来例について説明すると、特許文献１に開示されたケーブル保持具１は、ケーブル（図示せず）を通す方向に対して直交する方向（横切る方向）に分離することが可能な複数のブロック３（３Ａ，３Ｂ，３Ｃ）を有し、該ブロック３は隣接するブロック３Ａ，３Ｂ，３Ｃと夫々合わせた状態で取り付けられるように構成され、該隣接するブロックとの合せ面３ａにケーブル（図２参照）を通すための切欠き部３ｂと、該切欠き部と対応する位置にケーブルを保持するための略半円形状の凹部３ｃを有する弾性パッキン４を着脱可能に収容する中空部３ｄとが形成され、凹部３ｃと隣り合うブロック３に装着された弾性パッキン４の凹部４ｃとによりケーブルの周囲を覆ってケーブルを保持するように構成され、ケーシング等の壁の開口部（図示せず）（図６、図１６及び図１７参照）を覆うように取り付けられるものである。【０００３】しかし中空部３ｄは、基本的に断面長方形状の溝として形成され、その底面３ｅは平らであり、何らの凹凸もないので、ここに収容される弾性パッキン４は、この中空部３ｄ内を、図２６及び図２７に示すように、自由に矢印Ａ，Ｂの如く移動することができる。このことは、図２４に示すように、弾性パッキン４を中空部３ｄ内にぎっしり隙間なく収容した場合には両端の弾性パッキン４がブロック３（３Ｂ）の端面３ｆに当たるため、複数の弾性パッキン４の全体が移動できなくなることにより各個も移動不能となるが、それまでの弾性パッキン４の収容作業の途中では、弾性パッキン４が適当に動いてしまって、組立て作業がしづらく、組立て作業能率が良好でないという欠点があった。【０００４】また各ブロック３の締付け後の密着度や締付け作業のし易さについては、各ブロック３の締付け部３ｇには、すべてばか穴３ｈのみが形成されており、各ブロック３の締付けは、図２３に示すように、長い頭付きビス５をブロック３Ａの２つのばか穴３ｈにまず挿入し、ブロック３Ｂのばか穴３ｈを通過したところで、ナット６を頭付きビス５に螺合させて頭付きビス５の略中央までねじ込み、突出した頭付きビス５のおねじ部５ａを更にブロック３Ｃのばか穴３ｈに挿入し、更に該ばか穴から突出したねじ部５ａにナット８を螺合ささせ、まずナット６によりブロック３Ａと３Ｂとを締め付け、次いでナット８によりブロック３Ｂと３Ｃとを締め付けて組立て作業完了となる。
この場合、ブロック３Ｂ用のナット６を締め付けるには、頭付きビス５のおねじ部５ａが長く突出しているため、ソケット状のスパナの使用はしづらく、必然的に片開き形状のスパナを使用することになるばかりでなく、頭付きビス５の頭５ｂもスパナでくわえて頭付きビスの共回りを防がなければならないため作業能率が低く、またナット６，８がが計４個もあるため、合計４回のスパナによるナット６，８の締付けが必要で作業能率が良好でなく、また各ブロック３の密着度もあまり期待できなかった。【０００５】また従来例のケーブル保持具１においては、ケシーシングの壁（図示せず）に該ケーブル保持具を密着状態で取り付けるための棒状のパッキン（図示せず）（図８参照）を収容するためのパッキン溝３ｉは、各ブロック３の表面３ｍには全く設けられておらず、裏面３ｎと合せ面３ａにのみ設けられているため、ケーブル保持具１は、裏面３ｎを壁側にして取り付ける以外に方法がなく、必要があっても、通常と逆向きにケーブル保持具１を取り付けることは不可能であった。【０００６】
【特許文献１】  特開平９−９４６３号公報
【発明の開示】
【発明が解決しようとする課題】
【０００７】本発明は、上記した従来技術の欠点をなくすためになされたものであって、その目的とするところは、ケーブルを通す方向に対して直交する方向に分離することが可能な複数のブロックを有し、該ブロックは隣接するブロックと合わせた状態で取り付けられるように構成され、該隣接するブロックとの合せ面にケーブルを通すための切欠き部と、該切欠き部と対応する位置にケーブルを保持するための略半円形状の凹部を有する弾性パッキンを着脱可能に収容する中空部とが形成され、凹部と隣り合うブロックに装着された弾性パッキンの凹部とによりケーブルの周囲を覆ってケーブルを保持するように構成され、ケーシング等の壁の開口部を覆うように取り付けられるケーブル保持具において、弾性パッキンを着脱可能に収容する中空部の底面に、該弾性パッキンが横移動できないような複数の凸部を設けることによって、ケーブル保持具の組立て時において、弾性パッキンを中空部に収容する際に、いずれの仕切られた中空部に弾性パッキンを収容する場合にも、該弾性パッキンが決して横方向（中空部の長手方向に沿う方向）には移動しないことによって、ケーブル保持具の組立ての作業能率を著しく向上させることである。【０００８】また他の目的は、上記構成のケーブル保持具において、複数の前記ブロックを互いに頭付きビスを用いて締め付け固定するための一つのブロックの締付け部に頭付きビスと螺合するめねじが形成されたナットが回転不能にインサートされ、他のブロックの締付け部には頭付きビスがゆるく貫通可能なばか穴が前記ナットと同芯状に形成され、他のブロックの締付け部から頭付きビスを差し込んでナットに締め付けることで前記複数のブロックが互いに固定されるように構成することにより、例えばプラスドライバ用の十文字溝が形成された頭付きビスを一方のブロックのばか穴に差し込んでプラスドライバで該頭付きビスを他方のブロックにインサートされたナットにねじ込むだけで簡単に各ブロックの組立てが完了するようにすることであり、またこれによって組立てに当たってスパナの使用を不要として組立て作業能率の著しい向上を図ると共に、締付けが完全化される結果、各ブロックの密着度を向上させ、ＩＰ５４の保護等級をクリアしたケーブル保持具を提供することである。【０００９】更に他の目的は、上記構成のケーブル保持具において、複数のブロックのケーシング等の壁に密着する部分に四周状に形成され棒状の弾性パッキンが収容されるパッキン溝が、ブロックの表裏両面に設けられ、壁に対して表面、裏面のいずれの側からも取り付けられるように構成することにより、ケーシングや壁の状況によって、表面を外側にして、又は裏面を外側にしての取付けを可能として状況に応じて最も適した取付けができるようにすることであり、またこれによってケーブル保持具の取付け状態も含めた電気機器の設計及びデザインの自由度を高めることである。
【発明の効果】
【００１０】本発明は、上記のようにケーブルを通す方向に対して直交する方向に分離することが可能な複数のブロックを有し、該ブロックは隣接するブロックと合わせた状態で取り付けられるように構成され、該隣接するブロックとの合せ面にケーブルを通すための切欠き部と、該切欠き部と対応する位置にケーブルを保持するための略半円形状の凹部を有する弾性パッキンを着脱可能に収容する中空部とが形成され、凹部と隣り合うブロックに装着された弾性パッキンの凹部とによりケーブルの周囲を覆ってケーブルを保持するように構成され、ケーシング等の壁の開口部を覆うように取り付けられるケーブル保持具において、弾性パッキンを着脱可能に収容する中空部の底面に、該弾性パッキンが横移動できないような複数の凸部を設けたので、ケーブル保持具の組立て時において、弾性パッキンを中空部に収容する際に、いずれの仕切られた中空部に弾性パッキンを収容する場合にも、該弾性パッキンが決して横方向（中空部の長手方向に沿う方向）には移動しないという効果があり、またこの結果ケーブル保持具の組立ての作業能率を著しく向上させることができる効果がある。【００１１】また上記構成のケーブル保持具において、複数の前記ブロックを互いに頭付きビスを用いて締め付け固定するための一つのブロックの締付け部に頭付きビスと螺合するめねじが形成されたナットが回転不能にインサートされ、他のブロックの締付け部には頭付きビスがゆるく貫通可能なばか穴が前記ナットと同芯状に形成され、他のブロックの締付け部から頭付きビスを差し込んでナットに締め付けることで前記複数のブロックが互いに固定されるように構成したので、例えばプラスドライバ用の十文字溝が形成された頭付きビスを一方のブロックのばか穴に差し込んでプラスドライバで該頭付きビスを他方のブロックにインサートされたナットにねじ込むだけで簡単に各ブロックの組立てが完了するという効果があり、またこの結果組立てに当たってスパナの使用が不要となり、組立て作業能率の著しい向上を図ることができる効果が得られると共に、締付けが完全化される結果、各ブロックの密着度が向上し、ＩＰ５４の保護等級をクリアしたケーブル保持具を提供することができる効果がある。【００１２】また上記構成のケーブル保持具において、複数のブロックのケーシング等の壁に密着する部分に四周状に形成され棒状の弾性パッキンが収容されるパッキン溝が、ブロックの表裏両面に設けられ、壁に対して表面、裏面のいずれの側からも取り付けられるように構成したので、ケーシングや壁の状況によって、表面を外側にして、又は裏面を外側にしての取付けを可能となり、状況に応じて最も適した取付けができるという効果があり、またこの結果ケーブル保持具の取付け状態も含めた電気機器の設計及びデザインの自由度を高めることができる効果が得られる。
【課題を解決するための手段】
【００１３】要するに本発明（請求項１）は、ケーブルを通す方向に対して直交する方向に分離することが可能な複数のブロックを有し、該ブロックは隣接するブロックと合わせた状態で取り付けられるように構成され、該隣接するブロックとの合せ面に前記ケーブルを通すための切欠き部と、該切欠き部と対応する位置に前記ケーブルを保持するための略半円形状の凹部を有する弾性パッキンを着脱可能に収容する中空部とが形成され、前記凹部と隣り合う前記ブロックに装着された前記弾性パッキンの凹部とにより前記ケーブルの周囲を覆って前記ケーブルを保持するように構成され、ケーシング等の壁の開口部を覆うように取り付けられるケーブル保持具において、前記弾性パッキンを着脱可能に収容する前記中空部の底面に、該弾性パッキンが横移動できないような複数の凸部を設けたことを特徴とするものである。【００１４】また本発明（請求項２）は、ケーブルを通す方向に対して直交する方向に分離することが可能な複数のブロックを有し、該ブロックは隣接するブロックと合わせた状態で取り付けられるように構成され、該隣接するブロックとの合せ面に前記ケーブルを通すための切欠き部と、該切欠き部と対応する位置に前記ケーブルを保持するための略半円形状の凹部を有する弾性パッキンを着脱可能に収容する中空部とが形成され、前記凹部と隣り合う前記ブロックに装着された前記弾性パッキンの凹部とにより前記ケーブルの周囲を覆って前記ケーブルを保持するように構成され、ケーシング等の壁の開口部を覆うように取り付けられるケーブル保持具において、複数の前記ブロックを互いに頭付きビスを用いて締め付け固定するための一つのブロックの締付け部の前記頭付きビスと螺合するめねじが形成されたナットが回転不能にインサートされ、他の前記ブロックの締付け部には前記頭付きビスがゆるく貫通可能なばか穴が前記ナットと同芯状に形成され、前記他のブロックの締付け部から前記頭付きビスを差し込んで前記ナットに締め付けることで前記複数のブロックが互いに固定されるように構成したことを特徴とするものである。【００１５】また本発明（請求項３）は、ケーブルを通す方向に対して直交する方向に分離することが可能な複数のブロックを有し、該ブロックは隣接するブロックと合わせた状態で取り付けられるように構成され、該隣接するブロックとの合せ面に前記ケーブルを通すための切欠き部と、該切欠き部と対応する位置に前記ケーブルを保持するための略半円形状の凹部を有する弾性パッキンを着脱可能に収容する中空部とが形成され、前記凹部と隣り合う前記ブロックに装着された前記弾性パッキンの凹部とにより前記ケーブルの周囲を覆って前記ケーブルを保持するように構成され、ケーシング等の壁の開口部を覆うように取り付けられるケーブル保持具において、前記複数のブロックの前記ケーシング等の壁に密着する部分に四周状に形成され棒状の弾性パッキンが収容されるパッキン溝が、前記ブロックの表裏両面に設けられ、前記壁に対して表面、裏面のいずれの側からも取り付けられるように構成したことを特徴とするものである。
【発明を実施するための最良の形態】
【００１６】以下本発明を図面に示す実施例に基づいて説明する。図１から図１２において、本発明に係るケーブル保持具１１は、ケーブル１２を通す方向に対して直交する方向に分離することが可能な複数のブロック１３（１３Ａ，１３Ｂ，１３Ｃ）を有し、該ブロックは隣接するブロック１３と合わせた状態で取り付けられるように構成され、該隣接するブロック１３との合せ面１３ａにケーブル１２を通すための切欠き部１３ｂと、該切欠き部と対応する位置にケーブル１２を保持するための略半円形状の凹部１３ｃを有する弾性パッキン１４を着脱可能に収容する中空部１３ｄとが形成され、凹部１３ｃと隣り合うブロック１３に装着された弾性パッキン１４の凹部１４ｃとによりケーブル１２の周囲を覆ってケーブル１２を保持するように構成され、ケーシング１８等の壁１９の開口部１９ａを覆うように取り付けられるケーブル保持具であって、弾性パッキン１４を着脱可能に収容する中空部１３ｄの底面１３ｅに、該弾性パッキン１４が横移動できないような複数の円弧で形成された凸部１３ｐを設けたものである。
複数の凸部１３ｐの間隔、即ちピッチは切欠き部１３ｂ及び凹部１３ｃのピッチに一致させてあり、ケーブル１２の数が、例えば５本の場合は、凸部１３ｐの数は４となる。
即ち、ケーブル１２の数をｎとすると、凸部１３ｐの数はｎ−１となる。両端の弾性パッキン１４は、夫々ブロック１３の中空部１３ｄの端面１３ｆに当接して動くことができないため、凸部１３ｐは、この個数でよいのである。
凸部１３ｐの形状は、図示のような円弧で形成されたものに限定されるものではなく、弾性パッキン１４の横移動を防止できるものであればどのようなものでもよい。
なお、弾性パッキン１４は、その外側１４ａは、すべて同一の曲率半径で円弧状に形成されているが、ケーブル１２を弾性的に保持するための凹部１４ｂは、該ケーブルの直径に合わせてその曲率半径が定められている。即ち、図１３に示すように、一対の弾性パッキン１４を対向させて重ね合わせたときにできる穴１４ｃの直径がケーブル１２の直径よりもわずかに小さくなるように該曲率半径が設定され、円弧状に形成されている。【００１７】ブロック１３は、例えばボリカーボネート、ナイロン又はポリアセタール等の合成樹脂で一体成形されるものであり、図１から図１５までに示す３ピースの場合は、両側のブロック１３Ａ，１３Ｃと、水平方向両側に対称に形成された中央のブロック１３Ｂの３個で構成され、図２０及び図２１に示す２ピースの場合は、両側のブロック１３Ａ，１３Ｃの２個で構成されるようになっている。【００１８】凸部１３ｐの両側には該弾性パッキン１４の外側１４ａの形状と同一の略半円形状、即ち円弧形状の横移動防止凹部１３ｑが形成され、中空部１３ｄは複数の凸部１３ｐと該略半円形状の横移動防止凹部１３ｑとにより連なる波状に形成されている。
これは弾性パッキン１４の外側１４ａの形状に横移動防止凹部１３ｑの形状を一致させることにより、弾性パッキン１４の座りを良好にし、該弾性パッキンの組立て時における差込み作業を容易化し、作業能率を向上させるためである。【００１９】ケーブル１２は、複数の被覆電線２０を束ねてごむ又は合成樹脂製のチューブ１２ａに収納したものであって、その太さは、例えば２ｍｍφから１４ｍｍφまでのもの７種類（２ｍｍφ、４ｍｍφ、６ｍｍφ、８ｍｍφ、１０ｍｍφ、１２ｍｍφ、１４ｍｍφ）が使用される。【００２０】次に、図４、図７、図８及び図１０から図１２により、複数のブロック１３を互いに締め付け固定するための構成について説明すると、複数ブロック１３を互いに頭付きビス１５（ばね座金１５ｅ付きのもの）を用いて締め付け固定するための一つのブロック１３Ｂの締付け部１３ｇに、頭付きビス１５のおねじ１５ａと螺合するめねじ１６ａが内部に形成され外周部にはローレット１６ｂが形成されたナット１６が合成樹脂の一体成形により回転不能にインサートされ、他のブロック１３Ａ，１３Ｂの締付け部１３ｇには頭付きビス１５がゆるく貫通可能なばか穴１３ｈがナッ１６と同芯状に形成され、他のブロック１３Ａ，１３Ｃの締付け部１３ｇから頭付きビス１５を差し込んでナット１６に締め付けることで複数のブロック１３（１３Ａ，１３Ｂ，１３Ｃ）が互いに高い密着度で固定されるように構成されている。【００２１】頭付きビス１５の頭部１５ｂには、プラスドライバ用の十文字溝１５ｃが形成されており、該十文字溝にプラスドライバ（図示せず）を差し込んで頭付きビス１５を回転させることにより、そのおねじ１５ａがナット１６のめねじ１６ａに螺合して、簡単にブロック１３Ａ及び１３Ｃをブロック１３Ｂに締め付け固定でき、図１又は図３に示すように、３ピースのケーブル保持具１１が完成するように構成されている。
この場合、図１３に示すように、ブロック１３Ｂにインサートされたナット１６のめねじ１６ａは、ブロック１３Ａからの頭付きビス１５と、ブロック１３Ｃからの頭付きビス１５とにより共用されるように構成され、締付け時においては、一対の頭付きビス１５が互いに干渉しないように、即ち両頭付きビス１５，１５の先端１５ｄの間に適宜な隙間Ｃができるように、十分な螺合長さに設定されている。【００２２】複数のブロック１３がブロック１３Ａとブロック１３Ｂとからなる２ピースのケーブル保持具１１の場合には、図２０から図２２に示すように、一つのブロック１３Ａの締付け部１３ｇに、めねじ１６ａ及びローレット１６ｂが形成された同様なナット１６が合成樹脂の一体成形により回転不能にインサートされ、他のブロック１３Ｂの締付け部１３ｇには頭付きビス１５（図示省略）がゆるく貫通可能なばか穴１３ｈ（図示省略）がナッ１６と同芯状に形成され、他のブロック１３Ｂの締付け部１３ｇから頭付きビス１５（図示省略）を差し込んでナット１６に締め付けることで複数のブロック１３（１３Ａ，１３Ｂ）が互いに高い密着度で固定されるように構成されている。【００２３】また各ブロック１３のフランジ部１３ｊには、ケーブル保持具１１をケーシング１８の壁１９等に取り付けるための取付け穴１３ｋが、その長手方向に対称に２個ずつ形成されている。【００２４】次に、ケーブル保持具１１を表裏両面側からケーシング１８等の壁１９に取付け可能とする構成について説明すると、複数のブロック１３（１３Ａ，１３Ｂ，１３Ｃ）のケーシング１８等の壁１９に密着する部分に四周状に形成され棒状の弾性パッキン１８が収容されるパッキン溝１３ｉが、ブロック１３の表面１３ｍ及び裏面１３ｎに設けられ、壁１９に対して頭付きビス２２によりばね座金２３を介して表面、裏面のいずれの側からも取り付けられるように構成されている。
またパッキン溝１３ｉは、各ブロックの合せ面１３ａにも裏面１３ｎに設けられたパッキン１３ｉから連続して設けられており、各ブロックを締め付け固定した場合に、高い密着度が得られるように構成されており、棒状弾性パッキン２１は、このパッキン溝１３ｉの複雑な形状に合わせて、図８に示すように、かなり複雑な形状に折り曲げられたり、短く切断されたりして各種の形状に形成されている。【００２５】本発明は、上記のように構成されており、以下その作用について説明する。
まず３ピース、即ちブロック１３Ａ，１３Ｂ，１３Ｃからなるケーブル保持具１１について、図１３から図１５によりケーブル保持具１１の組立てについて説明すると、図１３において、ブロック１３Ｂに形成された中空部１３ｄの各々に、ケーブル１２の直径に合った曲率半径の凹部１４ｂが形成された弾性パッキン１４を選んで矢印Ｄの如く差し込む。【００２６】この場合、各弾性パッキン１４の外側１４ａは横移動防止凹部１３ｑと同一の半径であるので、しっくりと安定して全面で接触する。
そして本発明の最大の特徴である凸部１３ｐが弾性パッキン１４の横移動を完全に阻止するので、次々と差し込まれる弾性パッキン１４が隣同士で干渉することもなく、非常に軽快に作業を進めることができる。特に全部の中空部１３ｄを使用しないで開けておくような使い方をする場合には、従来のケーブル保持具１（図２３及び図２４）に比べて非常に作業がし易い。たとえ隣の中空部１３ｄに弾性パッキン１４が差し込まれなくても、弾性パッキン１４は決して横移動することはなく、従ってブロック１３を振動させたり、多少縦方向に傾斜させたような場合でも弾性パッキン１４は動かず、差し込んだその位置に安定して固定されるからである。【００２７】ブロック１３Ｂの中空部１３ｄへの弾性パッキン１４のすべての差し込みが完了すると、図１４に示すブロック１３Ｂのようになり、夫々直径の異なるケーブル１２を保持できる弾性パッキン１４で中空部１３ｄが満たされ、組立てが完了する。
続いてブロック１３Ａの各中空部１３ｄに弾性パッキン１４を差し込むのであるが、この場合には、ブロック１３Ｂの対向する各中空部１３ｄに差し込まれた弾性パッキン１４と同一の弾性パッキン１４を夫々差し込むことになる。これによって、重ね合わされたブロック１３Ｂ，１３Ａの各弾性パッキン１４によって、ケーブル１２の周囲を弾性的に保持できる穴１４ｃが形成される。この穴１４ｃは、同一直径でもよく、各弾性パッキン１４ごとに異ならせてもよい。図１５に示す実施例では、２ｍｍφ、４ｍｍφ、６ｍｍφ、１０ｍｍφ、１４ｍｍφの５種類の直径の穴１４ｃが形成されており、従ってこの５種類の直径のケーブル１２を保持することができる。
またすべての中空部１３ｄに同一の弾性パッキン１４を差し込んだ場合には、図２に示すように、同一直径、例えば最大直径である１４ｍｍφのケーブル１２を合計１０本保持することができる。【００２８】次に、弾性パッキン１４が各ブロック１３の中空部１３ｄに差し込まれた後の組立てについて説明する。弾性パッキン１４の各ブロック１３の中空部１３ｄへの差し込みが完了したら、ブロック１３の表面１３ｍ、裏面１３ｎのいずれの側からケーシング１８の壁１９に取り付けるにしても、高い密着度を得るためには必ず各ブロック１３の合せ面１３ａには棒状弾性パッキン２１の半分位が突出する必要があるため、各ブロック１３の裏面１３ｎ側のパッキン溝１３ｉのすべてに棒状弾性パッキン２１を押し込む。
ただし、裏面１３ｎ側からケーシング１８の壁１９にケーブル保持具１１を取り付ける通常使用の場合には、表面１３ｍ側のパッキン溝１３ｉには、棒状弾性パッキン２１を押し込む必要はなく、逆に表面１３ｍ側から取り付ける場合には、表面１３ｍ側のパッキン溝１３ｉにも棒状弾性パッキン２１を押し込むことになる。【００２９】棒状弾性パッキン２１の各ブロック１３のパッキン溝１３ｉへの押し込みが完了したら、必要本数のケーブル１２をブロック１３Ａ，１３Ｂ間及びブロック１３Ｂ，１３Ｃ間に適宜通してから、図４、図８及び図１５（これらの図ではケーブル１２の図示は省略）に示すように、各ブロック１３Ａ，１３Ｂ，１３Ｃを水平方向に合せ面１３ａを密着させ、また該合せ面１３ａから直径の約１／２が突出した棒状弾性パッキン２１同士を密着させて重ね合わせる。【００３０】そして４本の頭付きビス１５を用いてばね座金１５ｅを介して各ブロック１３Ａ，１３Ｂ，１３Ｃを締め付けるが、この場合本発明の最大の特徴であるブロック１３Ｂの締付け部１３ｇにインサートされたローレット１６ｂ付きのナット１６がその威力を発揮する。即ち、２本の頭付きビス１５をまずブロック１３Ａの締付け部１３ｇのばか穴１３ｈに差し込んでそのおねじ１５ａをブロック１３Ｂの締付け部１３ｇのナット１６のめねじ１６ａに螺合させて、プラスドライバ（図示せず）を頭付きビス１５の頭部１５ｂの十文字溝１５ｃに嵌合させて締め付ける。頭付きビス１５のおねじ１５ａの嵌合長さは、ナット１６のめねじ１６ａの長さの１／２より少し短く設定されているので、締付け時において、その先端１５ｄは、ナット１６のめねじ１６ａの長さの中央より手前で停止し、対向してブロック１３Ｃからねじ込まれる頭付きビス１５の先端１５ｄとの間に、図１５に示す隙間Ｃが形成され、決して互いに干渉することはなく、適度に頭付きビス１５を締め付けることによって、各ブロック１３は合せ面１３ａにわずかに突出した棒状弾性パッキン２１及びばね座金１５ｅを圧縮しながら締め付けられる。
ブロック１３Ｃも同様にして２本の頭付きビス１５をブロック１３Ｃの締付け部１３ｇのばか穴１３ｈに差し込んでナット１６に締め付けることによりブロック１３Ｂに締め付けることができる。【００３１】本発明に係るケーブル保持具１１では、上記のように締付けが非常に簡単になるばかりでなく、極めて高い密着度が得られ、固形異物、水に対する電機機器、キャビネットの保護等級でＩＰ５４を満たす密着度が得られる。
またナット１６は全く回転しないから、４本の頭付きビス１５を単にばか穴１３ｈから差し込んで回転させてナット１６に締め付けるだけの非常に簡単な作業により安全、確実に各ブロック１３を締め付けることができ、その作業能率は非常に高く、ケーブル保持具１１の組立て作業は極めて容易化される。【００３２】ブロック１３が、ブロック１３Ａと１３Ｃとからなる２ピースの場合には、図２０から図２２に示すように、ケーブル１２を適宜ブロック１３Ａ，１３Ｃ間に通してから、ブロック１３Ｃの締付け部１３ｇのばか穴１３ｈから差し込まれた２本の頭付きビス１５のおねじ１５ａをブロック１３Ａにインサートされたナット１６のめねじ１６ａに螺合させて締め付けることにより、同様に極めて容易、確実に各ブロック１３Ａ，１３Ｃを締め付けることができ、保護等級でＩＰ５４を満たす密着度が得られる。また図２１に示すように、各種の直径のケーブル１２を保持することももちろん可能である。【００３３】次に、完成したケーブル保持具１１の電機機器等のケーシング１８の壁１９への取付けについて説明する。本発明に係るケーブル保持具１１では、各ブロック１３の表面１１ｍ及び裏面１１ｎの両方に棒状弾性パッキン２１を収容できるパッキン溝１３ｉが形成されているので、図６、図１６及び図１７に示すように、頭付きビス２２をばね座金２３を介して取付け穴１３ｋに差し込んで、通常の裏面１３ｎ側を壁１９に向けて取り付けることもでき、この場合には裏面１３ｎ側の棒状弾性パッキン２１が壁１９に圧縮されながら押圧されて高い密着度が得られる。【００３４】また逆に、図１８及び図１９に示すように、ブロック１３の表面１３ｍ側のパッキン溝１３ｉにも棒状弾性パッキン２１を押し込んで、表面１３ｍ側を壁１９に向けて取り付けることもでき、この場合には裏面１３ｎ側の棒状弾性パッキン２１は専ら合せ面１３ａの密閉用に使用され、表面１３ｍ側の棒状弾性パッキン２１が壁１９に圧縮されながら押圧されて同様に高い密着度が得られる。【００３５】このように、本発明ではケーブル保持具１１の表裏両側からケーシング１８の壁１９に取り付けることができるので、周囲の状況や電機機器のデザインに応じて、ケーブル保持具１１の外部への突出量を小さくしたいとき等には表面１３ｍ側を壁１９に向けて取り付け、通常の体裁を重要視する場合で突出量が問題にならない等の通常の場合には、裏面１３ｎ側を壁１９に向けて取り付けることができ、非常に便利である。
【図面の簡単な説明】
【００３６】
【図１】図１から図２２は本発明の実施例に係り、図１は弾性パッキンを差し込み、ケーブルを通さないで完成したケーブル保持具の斜視図である。
【図２】弾性パッキンを差し込み、かつケーブルを通して完成したケーブル保持具の斜視図である。
【図３】弾性パッキンを外して完成したケーブル保持具の斜視図である。
【図４】４本の頭付きビスの締付け前の状態を示すケーブル保持具の斜視図である。
【図５】ケーブルを通さないで完成したケーブル保持具の裏面側の斜視図である。
【図６】ケーブルを通さないで完成したケーブル保持具を、ケーシングの壁に裏面側から取り付ける通常の状態を示す部分破断斜視図である。
【図７】頭付きビス、弾性パッキン及び棒状弾性パッキンを省略したケーブル保持具の分解斜視図である。
【図８】ケーブル保持具の分解斜視図である。
【図９】３ピースからなるケーブル保持具の中央のブロックの平面図である。
【図１０】同じく横縦断面図である。
【図１１】同じく正面図である。
【図１２】同じく締付け部の部分拡大正面図である。
【図１３】同じく中空部に順次弾性パッキンを差し込んだ際に各弾性パッキンが複数の凸部によりその横移動を阻止される状態を示す部分拡大横断面図である。
【図１４】３ピースのケーブル保持具の各ブロックに弾性パッキンを差し込んだ状態の分解横断面図である。
【図１５】ケーブルを通さないで完成したケーブル保持具の横断面図である。
【図１６】ケーブルを通さないで完成したケーブル保持具の中央でないブロックをケーシングの壁にその裏面側から取り付けた、通常の取付け状態を示す縦断面図である。
【図１７】図１６の部分拡大縦断面図である。
【図１８】ケーブルを通さないで完成したケーブル保持具の中央でないブロックをケーシングの壁にその表面側から取り付けた、通常と逆の取付け状態を示す縦断面図である。
【図１９】図１８の部分拡大縦断面図である。
【図２０】ケーブルを通さないで、弾性パッキンを差し込んで完成した２ピースのケーブル保持具の斜視図である。
【図２１】ケーブルを通し、弾性パッキンを差し込んで完成した２ピースのケーブル保持具の斜視図である。
【図２２】ケーブルを通さないで、弾性パッキンも差し込まないで完成した２ピースのケーブル保持具の横断面図である。
【図２３】図２３から図２７は従来例に係り、図２３は棒状弾性パッキンを省略した３ピースのケーブル保持具の分解斜視図である。
【図２４】３ピースのケーブル保持具の、弾性パッキンを差し込んだ状態の中央でないブロックの斜視図である。
【図２５】同じく中央のブロックの横断面図である。
【図２６】図２５のブロックの中空部に弾性パッキンを差し込む作業中に、弾性パッキンが中空部内を横移動してしまう状態を示す横断面図である。
【図２７】同じくブロックの中空部に弾性パッキンを差し込む作業中に、弾性パッキンが中空部内を横移動してしまう状態を示す斜視図である。
【符号の説明】
【００３７】１１    ケーブル保持具
１２    ケーブル
１３    ブロック
１３Ａ  ブロック
１３Ｂ  ブロック
１３Ｃ  ブロック
１３ａ  合せ面
１３ｂ  切欠き部
１３ｃ  凹部
１３ｄ  中空部
１３ｅ  底面
１３ｇ  締付け部
１３ｈ  ばか穴
１３ｉ  パッキン溝
１３ｍ  表面
１３ｎ  裏面
１３ｐ  凸部
１４    弾性パッキン
１４ｂ  凹部
１５    頭付きビス
１６    ナット
１６ａ  めねじ
１８    ケーシング
１９    壁
１９ａ  開口部
２１    棒状弾性パッキン
２２    頭付きビス
【図１】
2007053886.tif 000003
【図２】
2007053886.tif 000004
【図３】
2007053886.tif 000005
【図４】
2007053886.tif 000006
【図５】
2007053886.tif 000007
【図６】
2007053886.tif 000008
【図７】
2007053886.tif 000009
【図８】
2007053886.tif 000010
【図９】
2007053886.tif 000011
【図１０】
2007053886.tif 000012
【図１１】
2007053886.tif 000013
【図１２】
2007053886.tif 000014
【図１３】
2007053886.tif 000015
【図１４】
2007053886.tif 000016
【図１５】
2007053886.tif 000017
【図１６】
2007053886.tif 000018
【図１７】
2007053886.tif 000019
【図１８】
2007053886.tif 000020
【図１９】
2007053886.tif 000021
【図２０】
2007053886.tif 000022
【図２１】
2007053886.tif 000023
【図２２】
2007053886.tif 000024
【図２３】
2007053886.tif 000025
【図２４】
2007053886.tif 000026
【図２５】
2007053886.tif 000027
【図２６】
2007053886.tif 000028
【図２７】
2007053886.tif 000029